(57)【特許請求の範囲】
【請求項１】
第１の筐体と、
前記第１の筐体の一辺に固定され、当該一辺と平行な第１回転軸を中心軸とする円筒形状の回転基部と、
前記円筒形状の側面に接近して対向する端面を備え、当該端面が前記円筒形状の側面に接近した状態のまま前記第１回転軸の周りに回転して前記第１の筐体と開閉する第２の筐体と、
前記回転基部に回転可能に取り付けられ、前記第２の筐体とともに前記第１回転軸を中心にして回転することで前記第１の筐体及び前記第２の筐体を互いに開閉させる回転部と、
前記回転部と一体形成されて前記円筒形状の側面と当該側面に接近して対向する前記第２の筐体の端面との間に形成される隙間の一部を覆い、前記第１回転軸と垂直な第２回転軸を中心にして回転可能に前記第２の筐体を支持する支持部と、
を有することを特徴とする携帯端末装置。
【請求項２】
前記支持部は、
前記第２の筐体の端面の幅に対応する幅を有し前記第２回転軸を介して前記第２の筐体の端面と接続する端部を備え、
前記端部付近に形成される前記第２の筐体及び前記回転基部の間の隙間を覆うことを特徴とする請求項１記載の携帯端末装置。
【請求項３】
前記第２の筐体は、
前記端面から突起して前記端部に当接する当接部を備え、
前記第２回転軸を中心にした回転時以外は、前記当接部によって前記支持部に支持されることを特徴とする請求項２記載の携帯端末装置。
【請求項４】
前記支持部は、
前記回転基部の表面に沿った形状を有し前記回転部の回転に伴って前記回転基部の表面に沿って移動する外壁面を備えることを特徴とする請求項１記載の携帯端末装置。
【請求項５】
前記第２回転軸は、
前記第１回転軸と同一平面上にないことを特徴とする請求項１記載の携帯端末装置。
【発明の詳細な説明】
【技術分野】
【０００１】
本発明は、携帯端末装置に関する。
【背景技術】
【０００２】
近年、例えば携帯電話機などの携帯端末装置には、折り畳み式などの構造を採用して携帯性を向上しているものがある。すなわち、携帯端末装置の筐体を２つに分割し、分割された２つの筐体をヒンジによって互いに開閉可能に接続することにより、使用時の利便性と非使用時の携帯性とを両立するものがある。
【０００３】
また、最近では携帯端末装置の多機能化が進んでおり、カメラによる撮影やワンセグ視聴が可能な携帯端末装置が増加している。このような携帯端末装置においては、利用者の視認性を考慮して、表示部を備える表示側筐体が様々な角度に回転可能に取り付けられることがある。具体的には、例えば図５に示す携帯端末装置においては、回転２軸ヒンジ型の構造が採用されている。
【０００４】
図５に示す携帯端末装置において、表示側筐体１０は、図示しないキーなどの操作部を備える操作側筐体とヒンジ部２０によって開閉可能に接続されている。すなわち、ヒンジ部２０を構成する回転基部２１が図示しない操作側筐体に固定されており、ヒンジ部２０を構成する回転部２２が回転基部２１に対して表示側筐体１０の短手方向に平行な回転軸の周りに回転する。この回転に伴って、回転部２２によって支持される表示側筐体１０が図示しない操作側筐体と互いに開閉する。
【０００５】
さらに、ヒンジ部２０は回転２軸ヒンジを備えているため、表示側筐体１０は、回転部２２によって、長手方向に平行な回転軸の周りに回転可能に支持されている。このため、表示側筐体１０を長手方向に平行な回転軸の周りに回転させることにより、図５に示された外装パネル１１の裏面に設けられた表示部を外側に露出させることが可能となっている。利用者は、表示側筐体１０と図示しない操作側筐体とを開いた状態で表示側筐体１０を反転させた後に、表示側筐体１０と操作側筐体とを閉じた状態にすることにより、閉じた状態のままで表示部に表示される画面を確認することが可能となる。
【０００６】
その他にも、所謂サイクロイド型やスイング型などの構造を有し、２つに分割された筐体が開閉可能であると同時に、表示側筐体が回転する携帯端末装置がある。これらの携帯端末装置では、表示側筐体が携帯端末装置の厚み方向に平行な回転軸の周りに回転するため、表示側筐体と操作側筐体とが開いた状態での操作を容易にしつつ表示部の視認性を向上することができる。
【先行技術文献】
【特許文献】
【０００７】
【特許文献１】特開２００８−１５３８６１号公報
【発明の概要】
【発明が解決しようとする課題】
【０００８】
しかしながら、一方の筐体が回転可能な上記の携帯端末装置においては、筐体を回転させるための機構が複雑になるため、デザイン性の向上が制約されることがあるという問題がある。すなわち、例えば図５に示した回転２軸ヒンジ型を採用する携帯端末装置は、表示側筐体１０とヒンジ部２０とが完全に分割された外観を有している。このため、表示側筐体１０とヒンジ部２０との間の隙間が目立ってしまい、携帯端末装置のデザイン性が損なわれる。
【０００９】
特に、回転基部２１が図示しない操作側筐体に固定されているのに対し、表示側筐体１０は２軸で回転可能に取り付けられているため、回転基部２１と表示側筐体１０の境界における隙間が大きくなる傾向がある。このため、これらの隙間を目立たなくするデザインが望まれている。
【００１０】
開示の技術は、かかる点に鑑みてなされたものであって、少なくとも２つの回転軸の周りに回転可能な筐体を有する場合でもデザイン性を向上することができる携帯端末装置を提供することを目的とする。
【課題を解決するための手段】
【００１１】
本願が開示する携帯端末装置は、１つの態様において、第１の筐体と、前記第１の筐体の一辺に固定され、当該一辺と平行な第１回転軸を中心軸とする円筒形状の回転基部と、前記円筒形状の側面に接近して対向する端面を備え、当該端面が前記円筒形状の側面に接近したまま前記第１回転軸の周りに回転して前記第１の筐体と開閉する第２の筐体と、前記回転基部に回転可能に取り付けられ、前記第２の筐体とともに前記第１回転軸を中心にして回転することで前記第１の筐体及び前記第２の筐体を互いに開閉させる回転部と、前記回転部と一体形成されて前記円筒形状の側面と当該側面に接近して対向する前記第２の筐体の端面との間に形成される隙間の一部を覆い、前記第１回転軸と垂直な第２回転軸を中心にして回転可能に前記第２の筐体を支持する支持部と、を有する。
【発明の効果】
【００１２】
本願が開示する携帯端末装置の１つの態様によれば、少なくとも２つの回転軸の周りに回転可能な筐体を有する場合でもデザイン性を向上することができるという効果を奏する。
【図面の簡単な説明】
【００１３】
【図１】図１は、一実施の形態に係る携帯端末装置の外観を示す斜視図である。
【図２】図２は、一実施の形態に係る携帯端末装置の外観を示す平面図である。
【図３】図３は、一実施の形態に係るヒンジ部付近の構成を示す図である。
【図４】図４は、一実施の形態に係る筐体の取付部分を示す図である。
【図５】図５は、携帯端末装置の筐体及びヒンジ部を示す平面図である。
【発明を実施するための形態】
【００１４】
以下、本願が開示する携帯端末装置の一実施の形態について、図面を参照して詳細に説明する。なお、この一実施の形態により本発明が限定されるものではない。
【００１５】
図１は、一実施の形態に係る携帯端末装置の外観を示す斜視図である。図１に示す携帯端末装置は、操作側筐体１００及び表示側筐体２００を有している。そして、操作側筐体１００及び表示側筐体２００は、ヒンジ部３００によって互いに開閉可能に接続されている。図１は、操作側筐体１００及び表示側筐体２００が互いに閉じた状態を図示している。
【００１６】
操作側筐体１００は、携帯端末装置を操作するための側面キー１１０を備えている。また、操作側筐体１００は、閉じた状態で表示側筐体２００と対向する面に、図示しないテンキーなどを備えている。利用者は、側面キー１１０及びテンキーを押下することにより、携帯端末装置の様々な機能を利用することができる。すなわち、利用者は、例えば所望の電話番号を入力して電話発信をしたり、ワンセグ視聴のためのキーを押下して表示側筐体２００にワンセグ画面を表示させたりすることができる。
【００１７】
表示側筐体２００は、様々な画面を表示する背面液晶パネル２１０を備えている。また、表示側筐体２００は、閉じた状態で操作側筐体１００と対向する面に、図示しないメイン液晶パネルなどを備えている。背面液晶パネル２１０及びメイン液晶パネルには、利用者が操作側筐体１００を操作することなどにより、様々な画面が表示される。すなわち、例えば電話着信時には背面液晶パネル２１０に電話着信を通知するメッセージが表示されたり、ワンセグ視聴のための操作が行われるとメイン液晶パネルにワンセグ画面が表示されたりする。
【００１８】
ヒンジ部３００は、回転２軸ヒンジを備えており、操作側筐体１００及び表示側筐体２００を互いに開閉可能に接続するとともに、開閉時の回転軸とは垂直な回転軸の周りに表示側筐体２００を回転させる。具体的には、ヒンジ部３００は、回転基部３１０及び回転部３２０を有している。
【００１９】
回転基部３１０は、操作側筐体１００の短い一辺の両端に互いに間隔を空けて固定されており、略円筒形状を有している。そして、回転基部３１０の略円筒形状は、操作側筐体１００及び表示側筐体２００の短手方向に平行な回転軸を囲むように形成されている。
【００２０】
回転部３２０は、２箇所に形成される回転基部３１０の間の間隔に挟まれており、略円筒形状を有している。そして、回転部３２０は、操作側筐体１００及び表示側筐体２００の短手方向に平行な回転軸を囲んでおり、この回転軸を中心にして回転基部３１０に対して回転可能となっている。ここで、回転部３２０は、表示側筐体２００を支持する支持部４００と一体形成されているため、表示側筐体２００とともに回転することにより、操作側筐体１００と表示側筐体２００とを互いに開閉させる。
【００２１】
そして、回転部３２０と一体形成された支持部４００は、表示側筐体２００の長手方向に平行な回転軸を中心にして表示側筐体２００を回転可能に支持している。すなわち、支持部４００は、表示側筐体２００を長手方向に貫通する回転軸の周りに表示側筐体２００を回転させ、背面液晶パネル２１０を外側に露出させたり、図示しないメイン液晶パネルを外側に露出させたりする。
【００２２】
このように、操作側筐体１００及び表示側筐体２００は、互いに開閉可能であるとともに、表示側筐体２００は、開閉時の回転軸とは垂直な回転軸の周りに回転可能となっている。
【００２３】
ところで、支持部４００は、回転部３２０と一体形成されており、回転部３２０とともに操作側筐体１００及び表示側筐体２００の短手方向に平行な回転軸の周りに回転する。また、支持部４００は、表示側筐体２００の長手方向に平行な回転軸を介して表示側筐体２００と接続しており、表示側筐体２００を長手方向に平行な回転軸の周りに回転可能に支持している。具体的には、支持部４００は、表示側筐体２００の短手方向の幅と略同一の幅を有する端部において表示側筐体２００を支持している。このため、支持部４００と表示側筐体２００の外観は、全体として連続した印象のデザインとなっている。
【００２４】
さらに、支持部４００は、回転基部３１０と表示側筐体２００の境界を覆っている。すなわち、支持部４００の幅を表示側筐体２００の短手方向の幅と略同一にするとともに、支持部４００と回転部３２０が重なるように一体形成することにより、支持部４００によってヒンジ部３００と表示側筐体２００の境界が隠蔽される。このため、回転基部３１０と表示側筐体２００の間に形成される隙間が見えなくなり、携帯端末装置のデザイン性が向上する。
【００２５】
図２は、本実施の形態に係る携帯端末装置の外観を示す平面図である。上述したように、表示側筐体２００は、ヒンジ部３００によって、表示側筐体２００の短手方向と平行な回転軸Ａ１を中心にして操作側筐体１００と開閉可能になっている。また、表示側筐体２００は、回転部３２０と一体形成された支持部４００に支持されており、表示側筐体２００の長手方向と平行な回転軸Ａ２を中心にして回転可能になっている。すなわち、表示側筐体２００を回転軸Ａ２の周りに回転させることにより、背面液晶パネル２１０を外側に露出させたり、図示しないメイン液晶パネルを外側に露出させたりすることができる。
【００２６】
支持部４００の端部４１０は、表示側筐体２００の短い辺を有する一端部２２０と略同一の幅を有しており、回転軸Ａ２を介して表示側筐体２００の一端部２２０と接続されている。また、支持部４００の端部４１０には、表示側筐体２００の一端部２２０に設けられた支持パッド２３０が当接し、表示側筐体２００のがたつきが抑制されている。本実施の形態においては、表示側筐体２００を回転軸Ａ１の周りに回転させて開閉させる場合にも、表示側筐体２００と支持部４００の位置関係が変化しないため、支持パッド２３０が常に支持部４００に当接する。結果として、最小限の部品で表示側筐体２００のがたつきを抑制することができ、コストの増大を防止することができる。
【００２７】
支持部４００は、斜辺４２０を有しており、端部４１０からヒンジ部３００側へ向かうにつれて、幅が徐々に狭くなっている。すなわち、支持部４００は、平面視で表示側筐体２００と連続した略台形形状を有している。そして、この略台形形状は、回転基部３１０と表示側筐体２００の境界を覆っている。換言すれば、支持部４００は、表示側筐体２００の一端部２２０からヒンジ部３００側へ迫り出しており、回転基部３１０と表示側筐体２００の境界に形成される隙間を隠蔽している。このように、本実施の形態においては、表示側筐体２００と支持部４００が連続した外観を有するとともに、支持部４００が回転基部３１０と表示側筐体２００の境界を覆うため、平面視における携帯端末装置のデザイン性を向上することができる。
【００２８】
また、支持部４００は、ヒンジ部３００を構成する回転部３２０と平面視で重なるように一体形成されている。すなわち、支持部４００は、回転部３２０よりも幅広の略台形形状を回転部３２０と一体化することにより形成されている。このため、回転部３２０と支持部４００との間には隙間が形成されることはないとともに、支持部４００の回転部３２０よりも幅広となっている部分で回転基部３１０及び表示側筐体２００の間の境界を覆うことができる。
【００２９】
さらに、支持部４００が回転部３２０と一体形成されているため、表示側筐体２００、支持部４００及び回転部３２０が回転軸Ａ１の周りに一体的に回転する。このとき、支持部４００は、回転基部３１０の表面に沿って移動し、支持部４００が回転軸Ａ１の周りの回転を妨げることはない。すなわち、操作側筐体１００と表示側筐体２００とをスムーズに開閉させることができる。
【００３０】
具体的には、図３に示すように、支持部４００は、回転基部３１０の表面に沿った形状の外壁面４３０を有している。すなわち、回転基部３１０に対向する支持部４００の外壁面４３０は、略円筒形状に形成された回転基部３１０の表面に沿った形状となっている。そして、図３において回転基部３１０の略中心を貫通する回転軸Ａ１の周りに支持部４００が回転する際は、外壁面４３０は回転基部３１０の表面に沿って移動する。すなわち、図３においては、回転基部３１０の表面を示す円周に沿って、円弧状の外壁面４３０が移動する。
【００３１】
また、本実施の形態においては、支持部４００によって回転基部３１０と表示側筐体２００の境界を覆うとともに、支持部４００を回転基部３１０の表面に沿って移動させるために、回転軸Ａ１及び回転軸Ａ２が同一平面上にない。すなわち、図３に示すように、回転基部３１０の略中心を貫通する回転軸Ａ１は、表示側筐体２００の厚み方向の中心付近を貫通する回転軸Ａ２よりも操作側筐体１００側へ下がった位置にある。このように回転軸Ａ１を回転軸Ａ２よりも操作側筐体１００側へ下げることにより、表示側筐体２００と支持部４００の厚みを略同一にしつつ、支持部４００を回転基部３１０と重なる位置にまで迫り出させることが可能となる。そして、回転基部３１０と重なる支持部４００を回転基部３１０の表面に沿って移動させることが可能となる。
【００３２】
ところで、本実施の形態においては、支持部４００が回転基部３１０の表面に沿って移動する場合でも、支持部４００と表示側筐体２００の位置関係が変化しない。すなわち、表示側筐体２００を回転軸Ａ１の周りに回転させて開閉させても、支持部４００と表示側筐体２００の間の距離は常に一定である。このため、本実施の形態においては、上述したように、表示側筐体２００に設けられた支持パッド２３０が支持部４００に当接することで、表示側筐体２００のがたつきを抑制することができる。
【００３３】
ここで、支持部４００が設けられていない携帯端末装置の場合には、操作側筐体と表示側筐体を互いに開閉させると、閉じた状態と開いた状態とで表示側筐体と回転基部との間の距離が変化することがある。このため、支持部４００が設けられていない携帯端末装置では、それぞれの状態で回転基部に当接するパッドなどの部品を別々に設けることにより、表示側筐体のがたつきが抑制されることがある。これと比較して、本実施の形態における携帯端末装置の場合には、１組の支持パッド２３０が表示側筐体２００に設けられていれば、閉じた状態でも開いた状態でも表示側筐体２００のがたつきを抑制することができる。したがって、表示側筐体２００のがたつき抑制のための部品点数を最小限に抑え、コストの増大を防止することができる。
【００３４】
図４は、表示側筐体２００の支持部４００への取付部分を示す図である。すなわち、図４は、表示側筐体２００を図３中のＸの方向から見た一端部の構成を示している。図４に示すように、表示側筐体２００の一端部の両端には、支持パッド２３０が設けられている。そして、支持パッド２３０の中央には突起２３０ａが形成されている。
【００３５】
また、表示側筐体２００の一端部の中心付近には、回転軸Ａ２が挿通される軸孔２４０が形成されている。すなわち、表示側筐体２００は、支持部４００から突出する回転軸Ａ２を軸孔２４０へ挿通させることにより、回転可能に支持部４００と接続されている。そして、支持パッド２３０の突起２３０ａが支持部４００の端部に当接することにより、表示側筐体２００が支持されてがたつきが抑制される。
【００３６】
上述したように、表示側筐体２００の一端部と支持部４００の端部とは略同一の幅を有しているため、支持パッド２３０の突起２３０ａは、表示側筐体２００及び支持部４００が回転軸Ａ１の周りに回転しても、常に支持部４００の端部に当接する。このため、操作側筐体１００と表示側筐体２００の開閉状態に拘わらず、最小限の部品で表示側筐体２００のがたつきを抑制することができる。
【００３７】
以上のように、本実施の形態によれば、操作側筐体と表示側筐体を互いに開閉させるヒンジ部を構成する回転部に幅広の支持部を一体形成し、支持部によって、表示側筐体を回転可能に支持するとともに表示側筐体とヒンジ部を構成する回転基部との境界を覆う。このため、２軸の周りに回転する表示側筐体と回転基部との境界に形成される隙間が隠蔽され、携帯端末装置を全体として連続した印象のデザインにすることができる。換言すれば、少なくとも２つの回転軸の周りに回転可能な筐体を有する場合でもデザイン性を向上することができる。
【００３８】
なお、上記一実施の形態においては、図２に示したように、支持部４００がヒンジ部３００の一部を覆うものとして説明したが、支持部４００がヒンジ部３００の全体を覆っても良い。また、支持部４００の形状は、略台形形状ではなく、例えば長方形形状などでも良い。すなわち、支持部４００の大きさ及び形状は、携帯端末装置の所望のデザインに合わせて種々変更することが可能である。
【００３９】
また、上記一実施の形態においては、１組の回転基部３１０に挟まれる回転部３２０と支持部４００とが一体形成されるものとしたが、回転部は、必ずしも回転基部に挟まれていなくても良い。すなわち、ヒンジ部が例えば中央の回転基部を１組の回転部が挟む構造となっている場合にも、回転部と表示側筐体を回転可能に支持する支持部とを一体形成することにより、支持部によって表示側筐体と回転基部の境界を覆うことが可能である。
【００４０】
さらに、上記一実施の形態において開示された構成は、携帯電話機のみならず、例えばＰＤＡ（Personal Digital Assistant）、ノート型パーソナルコンピュータ及び携帯型ゲーム機などにも適用可能である。すなわち、２分割された筐体が互いに開閉可能であり、一方の筐体がさらに回転可能な携帯端末装置であれば、上記一実施の形態と同様の構成を適用することができる。
【００４１】
以上の各実施の形態に関し、さらに以下の付記を開示する。
【００４２】
（付記１）第１の筐体及び第２の筐体と、
前記第１の筐体の一辺に固定され、当該一辺と平行な第１回転軸を囲んで形成される回転基部と、
前記回転基部に回転可能に取り付けられ、前記第２の筐体とともに前記第１回転軸を中心にして回転することで前記第１の筐体及び前記第２の筐体を互いに開閉させる回転部と、
前記回転部と一体形成されて前記第２の筐体及び前記回転基部の境界の少なくとも一部を覆い、前記第１回転軸と垂直な第２回転軸を中心にして回転可能に前記第２の筐体を支持する支持部と、
を有することを特徴とする携帯端末装置。
【００４３】
（付記２）前記支持部は、
前記第２の筐体の一端部と略同一幅を有し前記第２回転軸を介して前記第２の筐体の一端部と接続する端部を備え、
前記端部付近に形成される前記第２の筐体及び前記回転基部の境界を覆うことを特徴とする付記１記載の携帯端末装置。
【００４４】
（付記３）前記第２の筐体は、
前記一端部から突起して前記端部に当接する当接部を備え、
前記第２回転軸を中心にした回転時以外は、前記当接部によって前記支持部に支持されることを特徴とする付記２記載の携帯端末装置。
【００４５】
（付記４）前記支持部は、
前記回転基部の表面に沿った形状を有し前記回転部の回転に伴って前記回転基部の表面に沿って移動する外壁面を備えることを特徴とする付記１記載の携帯端末装置。
【００４６】
（付記５）前記第２回転軸は、
前記第１回転軸と同一平面上にないことを特徴とする付記１記載の携帯端末装置。
【００４７】
（付記６）前記第１回転軸は、
前記第２の筐体の短手方向に平行な軸であり、
前記第２回転軸は、
前記第２の筐体の長手方向に平行な軸である
ことを特徴とする付記１記載の携帯端末装置。
【符号の説明】
【００４８】
１００  操作側筐体
１１０  側面キー
２００  表示側筐体
２１０  背面液晶パネル
２２０  一端部
２３０  支持パッド
２３０ａ  突起
２４０  軸孔
３００  ヒンジ部
３１０  回転基部
３２０  回転部
４００  支持部
４１０  端部
４２０  斜辺
４３０  外壁面
Ａ１、Ａ２  回転軸
【図１】
0005601101.tif 000002
【図２】
0005601101.tif 000003
【図３】
0005601101.tif 000004
【図４】
0005601101.tif 000005
【図５】
0005601101.tif 000006